(57)【要約】【課題】  機器構成の取得できないインラインのくるみ製本を行うことができる印刷機に対しても、インラインのくるみ製本用に面付けを行うことを可能とする。【解決手段】  原稿データを用紙に配置する位置を変更する原稿配置変更手段と、印刷装置の能力を取得する機器構成取得手段と、インラインでくるみ製本を行うことができる印刷装置に対して、くるみ製本を行うことを指示できる文書処理装置であって、機器構成取得手段により、くるみ製本を行うことができないと判断した印刷装置に対して、くるみ製本を行う指示がされた場合に、くるみ製本を行う指示を無効にし、インラインくるみ製本用の原稿配置を無効にするか、または残すかを設定することができるインラインくるみ設定手段を備える。【選択図】  図１
2010049343.tif 000002
【特許請求の範囲】
【請求項１】
原稿データを用紙に配置する位置を変更する原稿配置変更手段と、印刷装置の能力を取得する機器構成取得手段と、インラインでくるみ製本を行うことができる印刷装置に対して、くるみ製本を行うことを指示できる文書処理装置であって、
機器構成取得手段により、くるみ製本を行うことができないと判断した印刷装置に対して、くるみ製本を行う指示がされた場合に、くるみ製本を行う指示を無効にし、インラインくるみ製本用の原稿配置を無効にするか、または残すかを設定することができるインラインくるみ設定手段を持つことを特徴とする文書処理装置。
【請求項２】
インラインくるみ設定手段によって、くるみ製本ができない印刷装置に対してもくるみ製本用の面付けを行う設定がされていた場合、印刷実行前にインラインくるみ設定を変更するかどうかをユーザに確認するインライン面付け確認手段を持つことを特徴とする請求項１に記載の文書処理装置。
【請求項３】
前記インライン面付け確認手段は、
インラインくるみ製本用の原稿配置を指示するユーザインタフェースを持つ
ことを特徴とする請求項２に記載の文書処理装置。
【請求項４】
前記インライン面付け確認手段は、
インラインくるみ製本用の原稿配置を指示するユーザインタフェースを持つ
ことを特徴とする請求項２に記載の文書処理装置。
【請求項５】
前記インライン面付け確認手段は、
印刷を行わないことを指示するユーザインタフェースを持つ
ことを特徴とする請求項２に記載の文書処理装置。
【発明の詳細な説明】
【技術分野】
【０００１】
本発明は、文書処理方法および文書処理装置に関するもので、特にパーソナルコンピュータ等の情報処理とプリンタからなるシステムにおける文書処理方法および文書処理装置に関するものである。
【背景技術】
【０００２】
従来、第三者（顧客、クライアント）から印刷物（雑誌・新聞・カタログ・広告等）の作成依頼を受注し、該クライアントの所望の印刷物を作成することで報酬を得る、商業的印刷業界がある。商業的印刷業界では、現在でも、オフセット製版印刷機などの大規模な印刷装置等を用いているのが主流である。該印刷業界では、入稿、デザインやレイアウト、カンプ（プリンタ出力によるプレゼンテーション）、校正（レイアウト修正や色修正）、校正刷り（プルーフプリント）、版下作成、印刷、後処理加工、発送といった具合に様々な工程を踏んで作業を進めてきた。これは、上述のような印刷機の利用には版下作成を欠かすことができず、一度版下を作成すると、その修正は容易でなく、且つコスト的にかなり不利であるため、入念な校正、すなわちレイアウトのチェックや色の確認作業が必須であったため等に起因する。このように、この手の業界では、大掛かりな装置を必要とし、なおかつ、クライアントが所望する印刷物を作成するのにある程度の時間も必要であった。しかもこれらそれぞれの作業には専門知識が必要であり、いわば職人と呼ばれる熟練者のノウハウが必要であった。
【０００３】
一方で、最近、電子写真方式の印刷装置やインクジェット方式の印刷装置の高速化、高画質化に伴い、上記のような印刷業界に対抗して、プリント・オン・デマンド（Ｐｒｉｎｔ  Ｏｎ  Ｄｅｍａｎｄ：以下、ＰＯＤと表記する。）と呼ばれる、印刷装置で扱うジョブより比較的小ロットのジョブを、大掛かりな装置、システムを用いずに、短納期で取り扱えることを目指して、上記のような大規模な印刷機、印刷手法に変わって、例えば、デジタル複写機やデジタル複合機等のデジタル画像形成装置を最大限に活用して、電子データを用いたディジタルプリントを実現して、それで商売を行うとする市場も出現しつつある。このようなＰＯＤ市場では、従来の印刷業界に比べてデジタル化が融合し、コンピュータを利用した管理、制御が浸透してきており、コンピュータを利用してある程度、印刷業界のレベルに近づこうとしている。このような背景の中で、ＰＯＤ市場には、コピー・プリントショップ印刷会社の印刷サービスといわれるＰＦＰ（Ｐｒｉｎｔ  Ｆｏｒ  Ｐａｙ）や、企業内社内向け印刷サービスといわれるＣＲＤ（Ｃｅｎｔｒａｌｉｚｅｄ  Ｒｅｐｒｏｄｕｃｔｉｏｎ  Ｄｅｐａｒｔｍｅｎｔ）などが存在する。
【０００４】
印刷機で印刷を行った後の後処理加工を行う場合、オフセット印刷の場合は、断裁、中とじ製本、くるみ製本、紙折処理、穴あけ等の後処理（仕上げ処理）工程は、オフラインフィニッシャを使用して行われる。一方、オンデマンド印刷では、納期と部数により、デジタル複合機に接続されたインラインフィニッシャと、オフラインフィニッシャを使い分けることが多い。例えば、同じコンテンツでも、短納期、小部数ならインラインで、大部数ならオフラインがよく用いられる。ただし、印刷会社はどちらの手段を使っても、クライアントの要求する同じ仕上がりにしなければならない。そのために印刷会社は、インラインとオフラインとで面付け方法を変えなければならない場合がある。
【０００５】
後処理加工の設定と面付けを行うことができる文書処理システムにおいて、インラインとオフラインで面付けを変える方法として、印刷を指示する印刷機の機器構成を取得して切り替える方法があった。例えば、くるみ製本を行う設定がされていた場合、印刷指示された印刷機の機器構成を取得してくるみ製本を行う能力があればくるみ製本用の面付けを行って、印刷していた。機器構成を取得した結果、くるみ製本を行う能力がなかった場合、くるみ製本用の面付けは行わず、印刷していた。
【特許文献１】特開２００３−０９１３８４号公報
【発明の開示】
【発明が解決しようとする課題】
【０００６】
しかしながら、インラインでくるみ製本を行える能力はあるが、機器構成を取得することができない印刷機が存在する場合がある。この場合、文書処理システムにおいて印刷指示を行う印刷機の機器構成を取得した結果、くるみ製本をインラインで行う能力がないと判断されるため、オフライン用の面付けが行われ、印刷されることとなる。この状況において、印刷機の設定によりくるみ製本を行う設定がされている場合、オフライン用の面付けがされているにも関わらず、インラインフィニッシャを用いて後処理が行われることになる。そのため、完成物は原稿の位置がずれるなど、作成者の意図した結果とならないことがあった。
【課題を解決するための手段】
【０００７】
上述した課題を解決するために、本発明の文書処理装置は、原稿データを用紙に配置する位置を変更する原稿配置変更手段と、印刷装置の能力を取得する機器構成取得手段と、インラインでくるみ製本を行うことができる印刷装置に対して、くるみ製本を行うことを指示できる文書処理装置であって、機器構成取得手段により、くるみ製本を行うことができないと判断した印刷装置に対して、くるみ製本を行う指示がされた場合に、くるみ製本を行う指示を無効にし、インラインくるみ製本用の原稿配置を無効にするか、または残すかを設定することができるインラインくるみ設定手段を持つことを特徴とする。
【発明の効果】
【０００８】
機器構成の取得できないインラインのくるみ製本を行うことができる印刷機に対しても、インラインのくるみ製本用に面付けを行うことができる。
【発明を実施するための最良の形態】
【０００９】
次に、本発明の詳細を実施例の記述に従って説明する。
【００１０】
本発明の第１の実施形態である文書処理システムの概要を、図１〜図１３を参照して説明する。この文書処理システムでは、一般アプリケーションにより作成されたデータファイルが、電子原稿ライタによって電子原稿ファイルに変換される。製本アプリケーションはその電子原稿ファイルを編集する機能を提供している。なお、本例では、それぞれの機能が明瞭になるように、一般アプリケーション、電子原稿ライタ、製本アプリケーション、電子原稿デスプーラと分離して示しているが、ユーザに提供されるパッケージはこれらに限定されず、これらを組み合わせたアプリケーションやグラフィックエンジンとして提供されてもよい。以下、その詳細は説明する。
【００１１】
＜本実施形態の文書処理システムのソフトウェア構成例＞
図１は、本実施形態の文書処理システムのソフトウェア構成を示す図である。
【００１２】
文書処理システムは、本発明の文書処理装置（情報処理装置）の好適な実施形態であるデジタルコンピュータ１００（以下、ホストコンピュータとも呼ばれる）によって実現されている。一般アプリケーション１０１は、ワードプロセシングやスプレッドシート、フォトレタッチ、ドローあるいはペイント、プレゼンテーション、テキスト編集などの機能を提供するアプリケーションプログラムであり、ＯＳに対する印刷機能を有している。これらアプリケーションは、作成された文書データや画像データなどのアプリケーションデータを印刷するにあたって、オペレーティングシステム（ＯＳ）により提供される所定のインタフェース（一般に、ＧＤＩと呼ばれる）を利用する。すなわち、アプリケーション１０１は、作成したデータを印刷するために、前記インタフェースを提供するＯＳの出力モジュールに対して、あらかじめ定められる、ＯＳに依存する形式の出力コマンド（ＧＤＩ関数と呼ばれる）を送信する。出力コマンドを受けた出力モジュールは、プリンタ等の出力デバイスが処理可能な形式にそのコマンドを変換し、変換されたコマンド（ＤＤＩ関数と呼ばれる）を出力する。出力デバイスが処理可能な形式はデバイスの種類やメーカ、機種などによって異なるために、デバイスごとにデバイスドライバが提供されており、ＯＳではそのデバイスドライバを利用してコマンドの変換を行い、印刷データを生成し、ＪＬ（Job Language）でくくることにより印刷ジョブが生成される。ＯＳとしてマイクロソフト社のウィンドウズ（登録商標）を利用する場合には、前述した出力モジュールとしてはＧＤＩ（Graphic Device Interface）と呼ばれるモジュールが相当する。
【００１３】
電子原稿ライタ１０２は、前述のデバイスドライバを改良したものであり、本文書処理システム実現のために提供されるソフトウェアモジュールである。ただし、電子原稿ライタ１０２は特定の出力デバイスを目的としておらず、後述の製本アプリケーション１０４やプリンタドライバ１０６により処理可能な形式に出力コマンドを変換する。この電子原稿ライタ１０２による変換後の形式（以後、「電子原稿形式」と呼ぶ。）は、ページ単位の原稿を詳細な書式をもって表現可能であれば特に問わない。実質的な標準形式のうちでは、例えばアドビシステムズによるＰＤＦ形式や、ＳＶＧ形式などが電子原稿形式として採用できる。
【００１４】
アプリケーション１０１により電子原稿ライタ１０２を利用させる場合には、出力に使用するデバイスドライバとして電子原稿ライタ１０２を指定してから印刷を実行させる。ただし、電子原稿ライタ１０２によって作成されたままの電子原稿ファイルは、電子原稿ファイルとして完全な形式を備えていない。そのため、デバイスドライバとして電子原稿ライタ１０２を指定するのは製本アプリケーション１０４であり、その管理下でアプリケーションデータの電子原稿ファイルへの変換が実行される。製本アプリケーション１０４は、電子原稿ライタ１０２が生成した新規の不完全な電子原稿ファイルを後述する形式を備えた電子原稿ファイルとして完成させる。以下では、この点を明瞭に識別する必要がある際には、電子原稿ライタ１０２によって作成されたファイルを電子原稿ファイルと呼び、製本アプリケーションによって構造を与えられた電子原稿ファイルをブックファイルと呼ぶ。また、特に区別する必要がない場合は、アプリケーションにより生成されるドキュメントファイル、電子原稿ファイル、及びブックファイルをいずれも文書ファイル（または文書データ）と呼ぶ。
【００１５】
このようにデバイスドライバとして電子原稿ライタ１０２を指定し、一般アプリケーション１０１によりそのデータを印刷させることで、アプリケーションデータはアプリケーション１０１によって定義されたページ（以後、「論理ページ」あるいは「原稿ページ」と呼ぶ。）を単位とする電子原稿形式に変換され、電子原稿ファイル１０３としてハードディスクなどの記憶媒体に格納される。なお、ハードディスクは、本実施形態の文書処理システムを実現するコンピュータが備えているローカルドライブであってもよいし、ネットワークに接続されている場合にはネットワーク上に提供されるドライブであっても良い。
【００１６】
製本アプリケーション１０４は、電子原稿ファイルあるいはブックファイル１０３を読み込み、それを編集するための機能を利用者に提供する。
【００１７】
製本アプリケーション１０４によって編集されたブックファイル１０３を印刷する際には、製本アプリケーション１０４によって電子原稿デスプーラ１０５が起動される。電子原稿デスプーラ１０５は、製本アプリケーションと共にコンピュータ内にインストールされるプログラムモジュールであり、製本アプリケーションで利用するドキュメント（ブックファイル）を印刷する際に、プリンタドライバへ描画データを出力するために使用されるモジュールである。電子原稿デスプーラ１０５は、指定されたブックファイルをハードディスクから読み出し、ブックファイルに記述された形式で各ページを印刷するために、前述したＯＳの出力モジュールに適合する出力コマンドを生成し、不図示の出力モジュールに出力する。その際に、出力デバイスとして使用されるプリンタ１０７のドライバ１０６がデバイスドライバとして指定される。出力モジュールは、指定されたプリンタ１０７のプリンタドライバ１０６を用いて受信した出力コマンドを、プリンタ１０７で解釈実行可能なデバイスコマンドに変換する。そしてデバイスコマンドはプリンタ１０７に送信され、プリンタ１０７によってコマンドに応じた画像が印刷される。
【００１８】
＜本実施形態の文書処理システムのハードウェア構成例＞
図２は、本実施形態の文書処理システムのハードウェア構成を示す図である。図２において、ホストコンピュータ１００は、ＲＯＭ２０３内のプログラム用ＲＯＭあるいは外部メモリ２１１に記憶された文書処理プログラム等に基づいて図形、イメージ、文字、表（表計算等を含む）等が混在した文書処理を実行するＣＰＵ２０１を備え、システムバス２０４に接続される各デバイスをＣＰＵ２０１が総括的に制御する。また、このＲＯＭ２０３内のプログラム用ＲＯＭあるいは外部メモリ２１１には、ＣＰＵ２０１の制御プログラムであるオペレーティングシステムプログラム等を記憶し、ＲＯＭ２０３内のフォント用ＲＯＭあるいは外部メモリ２１１には上記文書処理の際に使用するフォントデータ等を記憶し、ＲＯＭ２０３内のデータ用ＲＯＭあるいは外部メモリ２１１には上記文書処理等を行う際に使用する各種データを記憶する。ＲＡＭ２０２は、ＣＰＵ２０１の主メモリ、ワークエリア等として機能する。
【００１９】
キーボードコントローラ（ＫＢＣ）２０５は、キーボード２０９や不図示のポインティングデバイスからのキー入力を制御する。ＣＲＴコントローラ（ＣＲＴＣ）２０６は、ＣＲＴディスプレイ（ＣＲＴ）２１０の表示を制御する。２０７はディスクコントローラ（ＤＫＣ）で、ブートプログラム、各種のアプリケーション、フォントデータ、ユーザファイル、編集ファイル、プリンタ制御コマンド生成プログラム（以下プリンタドライバ）等を記憶するハードディスク（ＨＤ）、フレキシブルディスク（ＦＤ）等の外部メモリ２１１とのアクセスを制御する。プリンタコントローラ（ＰＲＴＣ）２０８は、双方向性インタフェース（インタフェース）２１を介してプリンタ１０７に接続されて、プリンタ１０７との通信制御処理を実行する。ＮＣ２１２はネットワークに接続されて、ネットワークに接続された他の機器との通信制御処理を実行する。
【００２０】
なお、ＣＰＵ２０１は、例えばＲＡＭ２０２上に設定された表示情報ＲＡＭへのアウトラインフォントの展開（ラスタライズ）処理を実行し、ＣＲＴ２１０上でのＷＹＳＩＷＹＧを可能としている。また、ＣＰＵ２０１は、ＣＲＴ２１０上の不図示のマウスカーソル等で指示されたコマンドに基づいて登録された種々のウィンドウを開き、種々のデータ処理を実行する。ユーザは印刷を実行する際、印刷の設定に関するウィンドウを開き、プリンタの設定や、印刷モードの選択を含むプリンタドライバに対する印刷処理方法の設定を行える。
【００２１】
プリンタ１０７は、ＣＰＵ３１２により制御される。プリンタのＣＰＵ３１２は、ＲＯＭ３１３内のプログラム用ＲＯＭに記憶された制御プログラム等あるいは外部メモリ３１４に記憶された制御プログラム等に基づいてシステムバス３１５に接続される印刷部（プリンタエンジン）３１７に出力情報としての画像信号を出力する。また、このＲＯＭ３１３内のプログラムＲＯＭには、ＣＰＵ３１２の制御プログラム等を記憶する。ＲＯＭ３１３内のフォント用ＲＯＭには上記出力情報を生成する際に使用するフォントデータ等が記憶され、ＲＯＭ３１３内のデータ用ＲＯＭには、ハードディスク等の外部メモリ３１４がないプリンタの場合には、ホストコンピュータ上で利用される情報等が記憶されている。
【００２２】
ＣＰＵ３１２は入力部３１８を介してホストコンピュータとの通信処理が可能となっており、プリンタ内の情報等をホストコンピュータ１００に通知できる。ＲＡＭ３１９は、ＣＰＵ３１２の主メモリや、ワークエリア等として機能するＲＡＭで、図示しない増設ポートに接続されるオプションＲＡＭによりメモリ容量を拡張することができるように構成されている。なお、ＲＡＭ３１９は、出力情報展開領域、環境データ格納領域、ＮＶＲＡＭ等に用いられる。前述したハードディスク（ＨＤ）、ＩＣカード等の外部メモリ３１４は、メモリコントローラ（ＭＣ）２０によりアクセスを制御される。外部メモリ３１４は、オプションとして接続され、フォントデータ、エミュレーションプログラム、フォームデータ等を記憶する。また、３２１は前述した操作パネルで、操作のためのスイッチ及びＬＥＤ表示器等が配されている。
【００２３】
また、前述した外部メモリ３１４は１個に限らず、複数個備えられ、内蔵フォントに加えてオプションカード、言語系の異なるプリンタ制御言語を解釈するプログラムを格納した外部メモリを複数接続できるように構成されていてもよい。さらに、図示しないＮＶＲＡＭを有し、操作パネル３２１からのプリンタモード設定情報を記憶するようにしてもよい。
【００２４】
＜電子原稿データの形式例＞
製本アプリケーション１０４の詳細を言及する前に、ブックファイルのデータ形式を説明する。ブックファイルは紙媒体の書物を模した３層の層構造を有する。上位層は「ブック」と呼ばれ、１冊の本を模しており、その本全般に係る属性が定義されている。その下の中間層は、本でいう章に相当し、やはり「章」と呼ばれる。各章についても、章ごとの属性が定義できる。下位層は「ページ」であり、アプリケーションプログラムで定義された各ページに相当する。各ページついてもページごとの属性が定義できる。ひとつのブックは複数の章を含んでいてよく、また、ひとつの章は複数のページを含むことができる。
【００２５】
図３は、ブックファイルの形式の一例を模式的に示す図である。この例のブックファイルにおける、ブック、章、ページは、それぞれに相当するノードにより示されている。ひとつのブックファイルはひとつのブックを含む。ブック、章は、ブックとしての構造を定義するための概念であるから、定義された属性値と下位層へのリンクとをその実体として含む。ページは、アプリケーションプログラムによって出力されたページごとのデータを実体として有する。そのため、ページは、その属性値のほか、原稿ページの実体（原稿ページデータ）と各原稿ページデータへのリンクを含む。なお、紙媒体等に出力する際の印刷ページは複数の原稿ページを含む場合がある。この構造に関してはリンクによって表示されず、ブック、章、ページ各階層における属性として表示される。
【００２６】
図３では、ブックファイルが１つの完結したブックである必要はないので、「ブック」を「文書」として一般化して記載している。
【００２７】
まず最上位に文書情報４０１を持つ。文書情報４０１は４０２〜４０４の３つのパートに大別できる。文書制御情報４０２は、文書ファイルのファイルシステムにおけるパス名などの情報を保持する。文書設定情報４０３は、ページレイアウトなどのレイアウト情報とステイプル、製本バインディングなど印刷装置の機能設定情報を保持し、ブックの属性に相当する。章情報リスト４０４は、文書を構成している章の集合をリスト形式で保持する。リストが保持するのは章情報４０５である。
【００２８】
章情報４０５も４０６〜４０８の３つのパートに大別できる。章制御情報４０６は、章の名称などの情報を保持する。章設定情報４０７は、その章特有のページレイアウトやステイプルの情報を保持し、章の属性に相当する。章ごとに設定情報をもつことで最初の章は２UPのレイアウトその他の章は４UPのレイアウトのように複雑なレイアウトを持った文書を作成することが可能である。ページ情報リスト４０８は各章を構成する原稿ページの集合リスト形式で保持している。ページ情報リスト４０８が指示するのは、ページ情報データ４０９である。
【００２９】
ページ情報データ４０９も４１０〜４１２の３つのパートに大別される。ページ制御情報４１０は、ツリー上に表示するページ番号などの情報を保持する。ページ設定情報４１１は、ページ回転角やページの配置位置情報などの情報を保持し、原稿ページの属性に相当する。ページデータリンク情報４１２は、ページに対応する原稿データである。この例では、ページ情報４０９が直接原稿データを持つのではなく、ページデータリンク情報４１２だけをもち、実際の原稿データは、ページデータリスト４１３で保持する構成としている。
【００３０】
図４は、ブック属性（文書設定情報４０３）の例を示すリストである。通常、下位層と重複して定義可能な項目に関しては、下位層の属性値が優先採用される。そのため、ブック属性にのみ含まれる項目に関しては、ブック属性に定義された値はブック全体を通して有効な値となる。しかし、下位層と重複する項目については、下位層において定義されていない場合における既定値としての意味を有する。しかし、本例では、後述するように、下位層の属性値を優先するか否かが選択可能となっている。なお、図示された各項目は具体的に１項目に対応するのではなく、関連する複数の項目を含むものもある。
【００３１】
ブック属性に固有の項目は、印刷方法、仕上がりサイズ、面付け方法、トンボ・ドブ、製本詳細、表紙／裏表紙、インデックス紙、合紙、章区切りである。これらは、ブックを通して定義される項目である。印刷方法属性としては、片面印刷、両面印刷の値を指定できる。面付け方法属性は、出力用紙を、インラインフィニッシャまたはオフラインフィニッシャにより断裁、製本することを前提として、１枚の出力用紙上に印刷ページを複数ページ面付けして印刷したいときに、その面付け方法を指定するための項目である。指定可能な面付け方法としては、「ペラ、中とじ、くるみ、4つ折り」などがある。「中とじ」とは、別途指定する枚数の用紙を束にして２つ折りにし、その束をつづり合わせることで製本が可能となる形式で面付けを行い、印刷する方法である。「くるみ」とは、インラインフィニッシャまたは、オフラインフィニッシャによるくるみ製本が可能となる形式で、くるみ表紙、中紙を面付けし、印刷する方法である。「4つ折り」とは、出力用紙を4つ折りにして、束にすると、無線とじ製本が可能となる形式で、印刷ページを面付けし、印刷する方法である。
【００３２】
トンボ・ドブ属性は、電子原稿ファイルを印刷する際に、印刷ページに対しトンボの印字、および、裁ち落としを指定したい場合に指定するための項目である。
【００３３】
Ｎ−ｕｐ印刷指定属性は、１印刷ページに含まれる原稿ページ数を指定するための項目である。指定可能な配置としては、１×１や１×２、２×２、３×３、４×４などがある。
【００３４】
製本詳細属性としては、「中とじ、くるみ、4つ折り」などの面付け方法が指定されている場合に、見開き方向や、束になる枚数、とじ幅、ガターシフト等が指定できる。
【００３５】
フィニッシング属性は、排出した用紙を、中とじ製本やくるみ製本（バインディング）あるいは三方断裁等の処理を施すか否かを指定するための項目であり、この属性の有効性は使用する印刷装置がその機能を有するか否かに依存する。
【００３６】
表紙／裏表紙属性は、ブックとしてまとめられる電子原稿ファイルを印刷する際に、表紙及び裏表紙となる用紙を付加することの指定、及び付加した用紙への印刷内容の指定を含む。インデックス紙属性は、章の区切りとして、印刷装置に別途用意される耳付きのインデックス紙の挿入の指定及びインデックス（耳）部分への印刷内容の指定を含む。この属性は、印刷用紙とは別に用意された用紙を所望の位置に挿入するインサート機能を持ったインサータが使用する印刷装置に備えられている場合か、あるいは、複数の給紙カセットを使用可能である場合に有効となる。これは合紙属性についても同様である。
【００３７】
合紙属性は、章の区切りとして、インサータからあるいは給紙カセットから供給される用紙の挿入の指定、及び、合紙を挿入する場合には、給紙元の指定などを含む。
【００３８】
章区切り属性は、章の区切り目において、新たな用紙を使用するか、新たな印刷ページを使用するか、特に何もしないか等の指定を含む。片面印刷時には新たな用紙の使用と新たな印刷ページの使用とは同じ意味を持つ。両面印刷時には、「新たな用紙の使用」を指定すれば連続する章が１枚の用紙に印刷されることはないが、「新たな印刷ページの使用」を指定すれば、連続する章が１枚の用紙の表裏に印刷されることがあり得る。
【００３９】
図５は、章属性（章設定情報４０７）の、図６はページ属性（ページ設定情報４１１）の例を示すリストである。章属性とページ属性との関係もブック属性と下位層の属性との関係と同様である。
【００４０】
章属性に関しては、章に固有の項目はなく、すべてブック属性と重複する。したがって、通常は、章属性における定義とブック属性における定義とが異なれば、章属性で定義された値が優先する。しかし、本例では、後述するように、下位層の属性値を優先するか否かが選択可能となっている。
【００４１】
ブック属性と章属性とにのみ共通する項目は、用紙サイズ、用紙方向、Ｎ−ｕｐ印刷指定、拡大縮小、排紙方法の５項目である。このうち、Ｎ−ｕｐ印刷指定属性は、１印刷ページに含まれる原稿ページ数を指定するための項目である。指定可能な配置としては、１×１や１×２、２×２、３×３、４×４などがある。排紙方法属性は、排出した用紙にステイプル処理を施すか否かを指定するための項目であり、この属性の有効性は使用する印刷装置がステイプル機能を有するか否かに依存する。
【００４２】
ページ属性に固有の項目には、ページ回転属性、ズーム、配置指定、アノテーション、ページ分割などがある。ページ回転属性は、原稿ページを印刷ページに配置する際の回転角度を指定するための項目である。ズーム属性は、原稿ページの変倍率を指定するための項目である。変倍率は、仮想論理ページ領域のサイズを１００％として指定される。仮想論理ページ領域とは、原稿ページを、Ｎ−ｕｐ等の指定に応じて配置した場合に、１原稿ページが占める領域である。例えば１×１であれば、仮想論理ページ領域は１印刷ページに相当する領域となり、１×２であれば、１印刷ページの各辺を約７０パーセントに縮小した領域となる。
【００４３】
ブック、章、ページについて共通な属性として、ウォーターマーク属性及びヘッダ・フッタ属性がある。ウォーターマークとは、アプリケーションで作成されたデータに重ねて印刷される、別途指定される画像や文字列などである。ヘッダ・フッタは、それぞれ各ページの上余白及び下余白に印刷されるウォーターマークである。ただし、ヘッダ・フッタには、ページ番号や日時など、変数により指定可能な項目が用意されている。なお、ウォーターマーク属性およびヘッダ・フッタ属性において指定可能な内容は、章とページとは共通であるが、ブックはそれらと異なっている。ブックにおいてはウォーターマークやヘッダ・フッタの内容を設定できるし、また、ブック全体を通してどのようにウォーターマークやヘッダ・フッタを印刷するかを指定することができる。一方、章やページでは、その章やページにおいて、ブックで設定されたウォーターマークやヘッダ・フッタを印刷するか否かを指定できる。
【００４４】
＜本実施形態の文書処理システムの操作手順例＞
（ブックファイルの生成手順例）
ブックファイルは、上述したような構造及び内容を有している。次に、製本アプリケーション１０４及び電子原稿ライタ１０２によってブックファイルを作成する手順を説明する。ブックファイルの作成は、製本アプリケーション１０４によるブックファイルの編集操作の一環として実現される。
【００４５】
図７は、製本アプリケーション１０４によりブックファイルを開く際の手順を示すフローチャートである。
【００４６】
まず、開こうとするブックファイルが、新規作成すべきものであるか、それとも既存のものであるか判定する（ステップＳ７０１）。新規作成の場合には、章を含まないブックファイルを新規に作成する（ステップＳ７０２）。新規に作成されるブックファイルは、図３の例で示せば、ブックノードのみ有し、章のノードに対するリンクが存在しないブックのノードとなる。ブック属性は、新規作成用としてあらかじめ用意された属性のセットが適用される。そして、新規ブックファイルを編集するためのユーザインタフェース（ＵＩ）画面を表示する（ステップＳ７０４）。図８は、新規にブックファイルが作成された際のＵＩ画面の一例である。この場合には、ブックファイルは実質的な内容を持たないために、ＵＩ画面８００には何も表示されない。
【００４７】
一方、既存のブックファイルがあれば、指定されたブックファイルを開き（ステップＳ７０３）、そのブックファイルの構造、属性、内容に従ってユーザインタフェース（ＵＩ）画面を表示する。図９は、このＵＩ画面の一例である。ＵＩ画面９００は、ブックの構造を示すツリー部９０１と、印刷された状態を表示するプレビュー部９０２とを含む。ツリー部９０１には、ブックに含まれる章、各章に含まれるページが、図３のような木構造が分かるように表示される。ツリー部９０１に表示されるページは原稿ページである。プレビュー部９０２には、印刷ページの内容が縮小されて表示される。その表示順序は、ブックの構造を反映したものとなっている。
【００４８】
さて、開かれたブックファイルには、電子原稿ライタ１０２によって電子原稿ファイルに変換されたアプリケーションデータを、新たな章として追加することができる。この機能を電子原稿インポート機能と呼ぶ。図７の手順によって新規に作成されたブックファイルに電子原稿インポートすることで、そのブックファイルには実体が与えられる。この機能は、図８あるいは図９の画面にアプリケーションデータをドラッグアンドドロップ操作することで起動される。
【００４９】
図１０は電子原稿インポートの手順例を示すフローチャートである。
【００５０】
まず、指定されたアプリケーションデータを生成したアプリケーションプログラムを起動し、デバイスドライバとして電子原稿ライタ１０２を指定してアプリケーションデータを印刷出力させることで、電子原稿データに変換する（ステップＳ８０１）。変換を終えたなら、変換されたデータが画像データであるか否かを判定する（ステップＳ８０２）。この判定は、ウィンドウズ（登録商標）ＯＳの下であれば、アプリケーションデータのファイル拡張子に基づいて行うことができる。例えば、拡張子が「ｂｍｐ」であればウィンドウズ（登録商標）ビットマップデータであり、「ｊｐｇ」であればＪＰＥＧ圧縮された画像データ、「ｔｉｆｆ」であればｔｉｆｆ形式の画像データであると判定できる。また、このような画像データの場合はアプリケーションを起動せずに、画像データから直接電子原稿ファイルを生成することが可能である。
【００５１】
画像データでなかった場合には、ステップＳ８０１で生成された電子原稿ファイルを、現在開かれているブックファイルのブックに、新たな章として追加する（ステップＳ８０３）。通常、章属性としては、ブック属性と共通するものについてはブック属性の値がコピーされ、そうでないものについては、あらかじめ用意された規定値に設定されるが、本例では、後述するように、下位層の属性値を優先するか否かが選択可能となっている。
【００５２】
画像データである場合には、原則として新たな章は追加されず、指定されている章に、ステップＳ８０１で生成された電子原稿ファイルに含まれる各原稿ページが追加される（ステップＳ８０４）。ただし、ブックファイルが新規作成されたファイルであれば、新たな章が作成されて、その章に属するページとして電子原稿ファイルの各ページが追加される。通常、ページ属性は、上位層の属性と共通のものについてはその属性値が与えられ、アプリケーションデータにおいて定義された属性を電子原稿ファイルに引き継いでいるものについてはその値が与えられる。例えば、Ｎ−ｕｐ指定などがアプリケーションデータにおいてされていた場合には、その属性値が引き継がれる。このようにして、新規なブックファイルが作成され、あるいは、新規な章が追加される。しかし、本例では、後述するように、下位層の属性値を優先するか否かが選択可能となっている。
【００５３】
図１１は、図１０のステップＳ８０１において、電子原稿ライタ１０２により電子原稿ファイルを生成させる手順を示すフローチャートである。
【００５４】
まず、新たな電子原稿ファイルを作成してそれを開く（ステップＳ９０１）。指定したアプリケーションデータに対応するアプリケーションを起動し、電子原稿ライタ１０２をデバイスドライバとして、ＯＳの出力モジュールに対して出力コマンドを送信させる。出力モジュールは、受信した出力コマンドを電子原稿ライタによって電子原稿形式のデータに変換し、出力する（ステップＳ９０２）。出力先はステップＳ９０１で開いた電子原稿ファイルである。指定されたデータすべてについて変換が終了したか判定し（ステップＳ９０３）、終了していれば電子原稿ファイルを閉じる（ステップＳ９０４）。電子原稿ライタ１０２によって生成される電子原稿ファイルは、図３に示した、原稿ページデータの実体を含むファイルである。
【００５５】
（ブックファイルの編集例）
以上のようにして、アプリケーションデータからブックファイルを作成することができる。生成されたブックファイルについては、章及びページに対して次のような編集操作が可能である。
【００５６】
（１）新規追加
（２）削除
（３）コピー
（４）切り取り
（５）貼り付け
（６）移動
（７）章名称変更
（８）ページ番号名称振り直し
（９）表紙挿入
（１０）合紙挿入
（１１）インデックス紙挿入
（１２）各原稿ページに対するページレイアウト。
【００５７】
このほか、一旦行った編集操作を取り消す操作や、さらに取り消した操作をやり直す操作が可能である。これら編集機能により、例えば複数のブックファイルの統合、ブックファイル内で章やページの再配置、ブックファイル内で章やページの削除、原稿ページのレイアウト変更、合紙やインデックス紙の挿入などといった編集操作が可能となる。これらの操作を行うと、図４乃至図６に示す属性に操作結果が反映されたり、あるいはブックファイルの構造に反映されたりする。例えば、ブランクページの新規追加操作を行えば、指定された箇所にブランクページが挿入される。このブランクページは原稿ページとして扱われる。また、原稿ページに対するレイアウトを変更すれば、その変更内容は、印刷方法やＮ−ｕｐ印刷、表紙／裏表紙、インデックス紙、合紙、章区切りといった属性に反映される。
【００５８】
本例における、編集時の表示及び操作例については、以下で詳細に示す。
【００５９】
（ブックファイルの出力例）
以上のように作成・編集されるブックファイルは印刷出力を最終目的としている。利用者が図９に示す製本アプリケーションのＵＩ画面９００からファイルを選択し、そこから印刷を選択すると、指定した出力デバイスにより印刷出力される。この際、まず製本アプリケーション１０４は、現在開かれているブックファイルからジョブチケットを作成して電子原稿デスプーラ１０５に渡す。電子原稿デスプーラ１０５は、ジョブチケットをＯＳの出力コマンド、例えばウィンドウズ（登録商標）のＧＤＩコマンドに変換し、それを出力モジュール、例えばＧＤＩに送信する。出力モジュールは、指定されたプリンタドライバ１０６によってデバイスに適したコマンドを生成し、そのデバイスに送信する。
【００６０】
すなわち、図示しない出力モジュールのグラフィックエンジンは、印刷装置ごとに用意されたプリンタドライバ１０６を外部メモリ２１１からＲＡＭ２０２にロードし、出力をプリンタドライバ１０６に設定する。そして、出力モジュールは、受け取ったＧＤＩ（Graphic Device Interface）関数からＤＤＩ（Device Driver Interface）関数に変換して、プリンタドライバ１０６へＤＤＩ関数を出力する。プリンタドライバ１０６は、出力モジュールから受け取ったＤＤＩ関数に基づいて、プリンタが認識可能な制御コマンド、例えばＰＤＬ（Page Description Language）に変換する。変換されたプリンタ制御コマンドは、ＯＳによってＲＡＭ２０２にロードされたシステムスプーラを経てインタフェース２１経由でプリンタ１０７へ印刷データとして出力される仕組みとなっている。
【００６１】
ここで、上記ジョブチケットは、原稿ページを最小単位とする構造を有するデータである。ジョブチケットにおける構造は、用紙上における原稿ページのレイアウトを定義している。ジョブチケットは１ジョブにつき１つ発行される。そのため、まず最上位にドキュメントというノードがあり、文書全体の属性、例えば両面印刷／片面印刷などが定義されている。その下には、用紙ノードが属し、用いるべき用紙の識別子や、プリンタにおける給紙口の指定などの属性が含まれる。各用紙ノードには、その用紙で印刷されるシートのノードが属する。１シートは１枚の用紙に相当する。各シートには、印刷ページ（物理ページ）が属する。片面印刷ならば１シートには１物理ページが属し、両面印刷ならば１シートに２物理ページが属する。各物理ページには、その上に配置される原稿ページが属する。また物理ページの属性として、原稿ページのレイアウトが含まれる。
【００６２】
ジョブチケットのデータ構造の例を図１２に示す。印刷用のデータでは、文書は用紙の集合で構成されており、各用紙は表、裏の２面で構成されており、各面は原稿をレイアウトする領域（物理ページ）を持ち、各物理ページには、最小単位である原稿ページの集合から構成される。１１０１は文書に相当するデータで、文書全体に関係するデータと、文書を構成する用紙情報のリストから構成される。用紙情報１１０２は用紙サイズなど用紙に関する情報と用紙上に配置される面情報のリストから構成される。面情報１１０３は、面に固有のデータと、面上に配置される物理ページのリストから構成される。物理ページ情報１１０４は、物理ページのサイズやヘッダ・フッタなどの情報と、物理ページを構成する原稿ページのリストから構成される。
【００６３】
電子原稿デスプーラ１０５は、上述のジョブチケットを、出力モジュールへの出力コマンドに変換する。
【００６４】
（プレビュー表示の内容例）
すでに説明したとおり、ブックファイルが製本アプリケーションによって開かれると、図９に示すユーザインタフェース画面９００が表示される。ツリー部９０１には、開いているブック（以下、「注目ブック」と呼ぶ。）の構造を示すツリーが表示される。プレビュー部には、利用者の指定に応じて、３通りの表示方法が用意されている。第１は原稿ページをそのまま表示する原稿ビューと呼ばれるモードである。原稿ビューモードでは、注目ブックに属する原稿ページの内容が縮小されて表示される。プレビュー部の表示にレイアウトは反映されない。第２は印刷ビューモードである。印刷ビューモードでは、プレビュー部９０２には、原稿ページのレイアウトが反映された形で原稿ページが表示される。第３は簡易印刷ビューモードである。簡易印刷ビューモードでは、各原稿ページの内容はプレビュー部の表示には反映されず、レイアウトのみが反映される。
【００６５】
＜他の文書処理システムの構成例＞
上記実施形態の文書処理システムはスタンドアロン型のシステムであるが、これを拡張したサーバクライアントシステムでもほぼ同様の構成・手順でブックファイルが作成・編集される。ただし、ブックファイルや印刷処理はサーバによって管理される。
【００６６】
図１３はサーバクライアント型文書処理システムの構成を示すブロック図である。
【００６７】
クライアント文書処理システムは、スタンドアロン型システムに、クライアントモジュールであるＤＯＭＳ（Document Output Management Service：文書出力管理サービス）ドライバ１０９及びＤＯＭＳプリントサービスモジュール１１０、ＤＳ（文書サービス）クライアントモジュール１０８を加えた構成を有する。このクライアント文書処理システム１２００に、文書管理サーバ１２０１及び印刷集中管理サーバ１２０２及びプリントサーバ１２０３が接続されている。これらサーバは、通常ネットワークによってクライアント文書処理システムと接続されるが、サーバが同時にクライアントとしても機能する場合には、ネットワーク間の通信をシミュレートするプロセス間通信によって接続される。なお、図１３では文書管理サーバ１２０１と印刷集中管理サーバ１２０２の両サーバがクライアントに接続されているが、いずれか一方のみがネットワーク上に存在する場合もあり得る。接続されているサーバが文書管理サーバであれば、そのクライアントモジュールを含む文書管理サーバクライアントシステム１２０１ＳＣが、印刷集中管理サーバ１２０２であれば、そのクライアントモジュールを含む印刷管理サーバクライアントシステム１２０２ＳＣが、スタンドアロン型文書管理システムに追加される。
【００６８】
文書管理サーバ１２０１は、製本アプリケーション１０４により作成・編集されたブックファイルを格納するサーバである。文書管理サーバ１２０１によってブックファイルを管理する場合、ブックファイルは、クライアントＰＣのローカルＨＤに代わって、あるいはそれに加えて、文書管理サーバ１２０１のデータベース１２１１に保存される。製本アプリケーション１０４と文書管理サーバ１２０１との間のブックファイルの保存及び読み出しは、ＤＳクライアント１０８及びＤＳコア１２１２を介して行われる。
【００６９】
印刷集中管理サーバ１２０２は、クライアント文書管理システム１２００に格納された、あるいは文書管理サーバ１２０１に格納されたブックファイルの印刷を管理するサーバである。クライアントにおける印刷要求は、ＤＯＭＳドライバ１０９及びＤＯＭＳプリントサービスモジュール１１０を介して印刷集中管理サーバ１２０２のＤＯＭＳＷＧサーバモジュール１２２１に送信される。集中印刷管理サーバ１２０２は、クライアントのプリンタで印刷する場合にはクライアントのＤＯＭＳプリントサービスモジュール１１０を介して電子原稿デスプーラ１０５に電子原稿データを渡し、プリントサーバ１２０３により印刷する場合には、プリントサーバ１２０３のＤＯＭＳプリントサービスモジュール１２０３に送信する。集中印刷管理サーバは、例えば保存されているブックファイルに対して印刷要求を発行した利用者の資格などについてセキュリティチェックを行ったり、印刷処理のログを保存したりする。このように、文書処理システムは、スタンドアロンとしても、クライアントサーバシステムとしても実現できる。
【００７０】
［本実施形態の文書処理システムの編集操作例］
上記図９は、製本アプリケーション１０４の操作画面である。製本アプリケーションは、文書のページ順の入れ替えや複製、削除、面付け、トンボの付加などの編集に加え、ステイプル、中とじ製本、くるみ製本、三方断裁などの印刷装置の機能設定も行うことができ、指定した印刷装置に印刷することが可能である。図９の左側の領域には、文書の構造を示すツリービューが表示されている。文書は、章の集合で構成されており、各章は原稿ページの集合で構成されている。図９の右側の領域には、各ページの印刷プレビューが表示されている。
【００７１】
［くるみ製本の構成］
くるみ製本の製本手順を図示したものを図１４に示す。
【００７２】
一般的にくるみ製本は表紙１４０１と中紙１４０２で構成されている。くるみ製本とは、中紙を束にしてそろえたものを、背となる部分１４０３に糊を付けて表紙と接着し、表紙でくるみ、背の方向以外の三方１４０４を断裁して製本する方式である。
【００７３】
くるみ製本の設定を行うためのユーザインタフェースを図１５に示す。
【００７４】
１５０１は、ブック属性の面付け方法を設定するユーザインタフェースである。ここで、くるみ製本を選択することで、くるみ製本を行う設定となる。
【００７５】
１５０２は、ブック属性のフィニッシングを設定するユーザインタフェースである。この設定では、インラインフィニッシャでくるみ製本を行うか、オフラインフィニッシャでくるみ製本を行うかの設定を行う。この設定で、「くるみ製本と断裁」を選択するとインラインフィニッシャでくるみ製本を行うように面付けを行う。「くるみ製本（断裁なし）」を選択するとオフラインフィニッシャでくるみ製本を行うように面付けを行う。
【００７６】
１５０３は、ブック属性の表紙／裏表紙を設定するユーザインタフェースである。この設定では、くるみ製本の表紙となる紙に原稿を何枚配置するかの設定を行う。この設定では、表紙の裏・表別々に０枚から２枚の原稿を配置するように設定することができる。０枚の場合は、原稿を配置しない。１枚の場合は、用紙中央に１枚の原稿を配置する。２枚の場合は、２枚の原稿を隣り合わせて、用紙中央に配置する。
【００７７】
１５０４は、製本された本の開き方向を設定するユーザインタフェースである。左を設定した場合は、左開きの本を作成するように面付けを行う。右を設定した場合は、右開きの本を作成するように面付けを行う。
【００７８】
［くるみ製本の面付け］
くるみ製本を行う場合の面付け方法は、インラインフィニッシャを使用する場合とオフラインフィニッシャを使用する場合とで異なる。
【００７９】
図１６に、インラインフィニッシャを使用してくるみ製本を行う場合の面付けを示す。
【００８０】
図１６は、面付け方法をくるみ製本に設定し、フィニッシングをくるみ製本と断裁に設定し、表紙／裏表紙を表２／裏２に設定し、開き方向を左に設定した場合の面付け状態を示している。
【００８１】
表紙１６０１には、原稿の中で、先頭の１枚と最後の１枚を隣り合わせとなるように配置する。表紙の裏面１６０２には、原稿の中で、２枚目のページと最後から２枚目のページが隣り合わせとなるように配置する。
【００８２】
残りの原稿は、中紙として面付けを行う。このとき、原稿は背の方に寄せて配置を行う。左開きの場合は、紙の表側１６０３は紙の左側に寄せるように配置し、紙の裏側１６０４は紙の右側に寄せるように配置する。右開きの場合は、左開きの逆で、紙の表側は紙の右側に寄せるように配置し、紙の裏側は紙の左側に寄せるように配置する。このように面付けを行うことにより、断裁後に原稿が適切な位置に配置される。
【００８３】
図１７に、オフラインフィニッシャを使用してくるみ製本を行う場合の面付けを示す。
【００８４】
図１７は、面付け方法をくるみ製本に設定し、フィニッシングをくるみ製本（断裁なし）に設定し、表紙／裏表紙を表２／裏２に設定し、開き方向を左に設定した場合の面付け状態を示している。
【００８５】
表紙１７０１、表紙の裏面１７０２は、図１６のインライン製本時と変わらず、２枚の原稿が隣り合わせにして、用紙中央に配置する。
【００８６】
中紙１７０３、１７０４には、用紙の中央に原稿を配置する。これは、用紙の裏／表どちら側であっても中央に配置する。
【００８７】
オフラインフィニッシャの場合、印刷後に中紙を所望の大きさに断裁した後に、くるみ製本機で製本されるため、中紙の用紙中央に配置されることになる。
【００８８】
［くるみ製本印刷］
図１８は、ユーザにより印刷を要求され、印刷を行うためのユーザインタフェースを表示してから、印刷が実行されるまでの流れを示したフローチャートである。
【００８９】
図１９に、印刷を行うためのユーザインタフェースを示す。
【００９０】
１９０１により、ユーザはコンピュータに登録されているプリンタの中から印刷を行いたいプリンタを選択する。
【００９１】
そして、選択されているプリンタに対して機器構成の取得要求をする。（Ｓ１８０１）機器構成の取得を行った結果、使用できない機能が設定されていた場合は、その設定をはずす。（Ｓ１８０２）例えば、くるみ製本を行う設定がされていた場合に、選択されているプリンタがくるみ製本を行う能力を持っていなかった場合は、くるみ製本を行わない設定に変更する。これは、くるみ製本の場合、インラインフィニッシャを使用する設定から、オフラインフィニッシャを使用する設定へと変更されるということである。変更された内容は、１９０２のユーザインタフェースにより、ユーザに明示的に伝えることができる。
【００９２】
次に、印刷設定にくるみ製本を行う設定がされていたかどうかを判断する。（Ｓ１８０３）くるみ製本を行う設定がされていた場合は、次に選択されているプリンタがくるみ製本を行うことができないプリンタかどうかを判断する。（Ｓ１８０４）選択されているプリンタが、くるみ製本を行うことができないプリンタであった場合、インラインくるみ設定が設定されているかを調べる。（Ｓ１８０５）インラインくるみ設定は、くるみ製本ができないプリンタに対してくるみ製本が指示された場合に、面付けをインラインフィニッシャの面付けにするかどうかを設定するものである。インラインくるみ設定を行うユーザインタフェースの一例を図２０に示す。
【００９３】
そして、インラインくるみ設定を実行することをユーザに確認するためのインライン面付け確認設定を有効にする。（Ｓ１８０６）
その後、ユーザ操作により１９０３の印刷指示ボタンが押下されたら（Ｓ１８０７）、使用できない機能の設定をはずした状態の印刷設定によって面付けが行われる（Ｓ１８０８）。次に、インライ面付け確認設定が有効となっているかを調べる（Ｓ１８０９）。インライン面付け確認設定が有効となっていた場合、ユーザに対して、図２１のユーザインタフェースを表示し、インライン面付けを行うかどうかの確認を行う（Ｓ１８１０）。図２１のユーザインタフェースで、印刷のキャンセルを指示するボタン２１０３が押された場合（Ｓ１８１１で判断）、印刷を行わずキャンセルする。次に、インラインの面付けを指示するボタン２１０１が押された場合（Ｓ１８１２で判断）、中紙の原稿をとじ側に移動する処理を行い（Ｓ１８１３）、その面付けで印刷を行うれ（Ｓ１８１４）。これにより、くるみ製本ができないプリンタに対してもインラインフィニッシャを使用する場合のくるみ製本面付けを行うことができる。インライン面付けを行わないことを指示するボタン２１０２が押された場合、インライン用の面付けは行わずに、印刷を行う。この処理により、インラインくるみ設定を行うように設定されていた場合であっても、印刷時に再度インライン用のくるみ製本面付けを行うか、オフライン用のくるみ製本面付けを行うかを選択することができる。
【００９４】
また、本発明は、複数の機器（例えばホストコンピュータ、インタフェース機
器、リーダ、プリンタなど）から構成されるシステムに適用しても、一つの機器からなる装置（複写機、プリンタ、ファクシミリ装置など）に適用してもよい。
【００９５】
また、本発明の目的は、前述した実施形態の機能を実現するソフトウェアのプログラムコードを記憶した記憶媒体を、システムあるいは装置のコンピュータ（またはＣＰＵやＭＰＵ）が記憶媒体に格納されたプログラムコードを読出し実行することによっても、達成される。この場合、記憶媒体から読み出されたプログラムコード自体が前述した実施形態の機能を実現することになり、そのプログラムコードを記憶した記憶媒体は本発明を構成することになる。
【００９６】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００９７】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部または全部を行い、その処理によって前述した実施形態の機能が実現される場合も含まれる。
【００９８】
さらに、記憶媒体から読出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれる。
【図面の簡単な説明】
【００９９】
【図１】本実施形態のスタンドアロン型の文書処理システムのソフトウェア構成例を示すブロック図である。
【図２】本実施形態の文書処理システムを実現するハードウェア構成例を示すブロック図である。
【図３】ブックファイルの構造の一例を示す図である。
【図４】ブック属性の一覧を示す図である。
【図５】章属性の一覧を示す図である。
【図６】ページ属性の一覧を示す図である。
【図７】ブックファイルを開く手順例を示すフローチャートである。
【図８】新規のブックファイルを開いた際のユーザインタフェース画面の一例を示す図である。
【図９】既存のブックファイルを開いた際のユーザインタフェース画面の一例を示す図である。
【図１０】電子原稿ファイルをブックファイルにインポートする手順例を示すフローチャートである。
【図１１】図１０のステップ８０１に示すアプリケーションデータを電子原稿ファイルに変換する手順例を示すフローチャートである。
【図１２】印刷や表示を行う際に使用するデータ構造の例を示す図である。
【図１３】クライアントサーバ型の文書処理システムのソフトウェア構成例を示すブロック図である。
【図１４】くるみ製本の製本手順を示す図である。
【図１５】くるみ製本の設定を行うためのユーザインタフェースの一例を示す図である。
【図１６】インラインフィニッシャを使用してくるみ製本を行う場合の面付けを示した図である。
【図１７】オフラインフィニッシャを使用してくるみ製本を行う場合の面付けを示した図である。
【図１８】ユーザにより印刷を要求され、印刷を行うためのユーザインタフェースを表示してから、印刷が実行されるまでの流れを示したフローチャートである。
【図１９】印刷を行うためのユーザインタフェースの一例を示す図である。
【図２０】インラインくるみ設定を行うユーザインタフェースの一例を示す図である。
【図２１】インラインくるみ設定を行うか否かの確認を行うためのユーザインタフェースの一例である。
【符号の説明】
【０１００】
１００  ホストコンピュータ
１０７  プリンタ
２００１  インラインくるみ設定手段
２１００  インライン面付け確認手段
【図１】
2010049343.tif 000003
【図２】
2010049343.tif 000004
【図３】
2010049343.tif 000005
【図４】
2010049343.tif 000006
【図５】
2010049343.tif 000007
【図６】
2010049343.tif 000008
【図７】
2010049343.tif 000009
【図８】
2010049343.tif 000010
【図９】
2010049343.tif 000011
【図１０】
2010049343.tif 000012
【図１１】
2010049343.tif 000013
【図１２】
2010049343.tif 000014
【図１３】
2010049343.tif 000015
【図１４】
2010049343.tif 000016
【図１５】
2010049343.tif 000017
【図１６】
2010049343.tif 000018
【図１７】
2010049343.tif 000019
【図１８】
2010049343.tif 000020
【図１９】
2010049343.tif 000021
【図２０】
2010049343.tif 000022
【図２１】
2010049343.tif 000023